(57)【要約】  【課題】操作が容易、入力の時間短縮が可能であり、しかも利用者の操作性や小型化に寄与し得る画像処理装置を提供する。  【解決手段】複写機能、スキャナ機能、プリンタ機能、及びネットワーク機能のうち、少なくとも２つの機能を備えた画像処理装置であって、装置本体の機能選択や動作指示を行なう操作指示部の各機能が既設の所定キーに階層的に割り当てられる。装置の設定を階層的に構成することで、機能およびモード毎に複数の設定が可能となるので、複合製品のような多機能の製品に対しても装置の設定が容易となる。【選択図】図５
2008236343.tif 000002
【特許請求の範囲】
【請求項１】
複写機能、スキャナ機能、プリンタ機能、及びネットワーク機能のうち、少なくとも2つの機能を備えた画像処理装置において、装置本体の機能選択や動作指示を行なう操作指示部の各機能が既設の所定キーに階層的に割り当てられていることを特徴とする画像処理装置。
【請求項２】
前記所定キーはテンキーであることを特徴とする請求項１に記載の画像処理装置。
【請求項３】
前記所定キーが装置本体の表示入力画面に表示された操作キーであることを特徴とする請求項１に記載の画像処理装置。
【請求項４】
前記所定キーは、連続して入力可能であることを特徴とする請求項２又は３に記載の画像処理装置。
【請求項５】
前記所定キーを連続して入力するとき、特定の機能に関する入力をスキップさせるための機能が既設のキーに割り当てられたことを特徴とする請求項４に記載の画像処理装置。
【請求項６】
前記既設の所定キーが複数個設けられ、そのうちの少なくとも一つの所定キーは、操作指示部の各機能のうち標準的な機能を複数個まとめて設定可能に割り当てられていることを特徴とする請求項１に記載に画像処理装置。
【発明の詳細な説明】
【技術分野】
【０００１】
本発明は、複写機能、スキャナ機能、プリンタ機能及びネットワーク機能のうち、少なくとも２つの機能を備えた画像処理装置に関するものである。
【背景技術】
【０００２】
この種の画像処理装置は、複写機能、スキャナ機能、プリンタ機能及びネットワーク機能を備えているが、機能の選択・設定を行う場合には表示内容を確認しながら入力を必要とする。そのため、操作が煩雑になり、また、設定入力時間が長くなるといった難点がある。
【０００３】
これを解決するために、特許文献１に示すような入力装置の技術を応用することも考えられる。すなわち、特許文献１には、多数の機能を限られたキーで操作する携帯電話等の小型電子機器において、数字キー及び機能キーを有するキー入力手段と、どのキーが入力されたかを判定するキー入力判定手段と、このキー入力判定手段の判定結果が前記機能キーに続く２桁の数字の入力を示すとき、入力された２桁の番号に割り当てられた機能を実行するよう制御する制御手段とを備え、操作部より機能キーの後に２桁の数値が入力されると、その２桁の数値に設定された機能を動作させることで、使用頻度の高い機能の設定入力を容易にする。
【特許文献１】特開平４−３４４９１７号公報
【発明の開示】
【発明が解決しようとする課題】
【０００４】
しかし、従来のように操作画面の表示に基づいて、機能の選択・設定を行う場合には表示内容を確認しながら入力を必要とするために、機種が異なった場合や選択メニューが多い場合には利用者側の負担が大きくなる。
【０００５】
また、特許文献１に示す入力装置では、数字キーに各種機能を割り当てるので、多数の機能を限られたキーに割り当てることができるが、これとは別に機能キーを新たに設ける必要があるため、キー配列数が多くなり、操作性や装置の小型化に支障をきたすおそれがある。
【０００６】
本発明は、上記に鑑み、操作が容易で、入力の時間短縮が可能であり、しかも利用者の操作性や小型化に寄与し得る画像処理装置の提供を目的としている。
【課題を解決するための手段】
【０００７】
上記目的を達成するため、本発明は、複合型の画像処理装置において、その機能設定を数値キー等の既設の所定キーを用い、該所定キーに各機能を階層的に持たせたものである。
【０００８】
すなわち、本発明は、複写機能、スキャナ機能、プリンタ機能、及びネットワーク機能のうち、少なくとも２つの機能を備えた画像処理装置であって、装置本体の機能選択や動作指示を行なう操作指示部の各機能が既設の所定キーに階層的に割り当てられていることを特徴とする。
【０００９】
上記構成によると、従来の手法に比べて操作が容易で、入力の時間短縮が可能となり、利用者の操作性を向上させることができる。また、装置の設定を階層的に構成することで、機能およびモード毎に複数の設定が可能となるので、複合型のような多機能の画像処理装置に対しても装置の設定が容易となる。
【００１０】
前記所定キーはテンキーとすることできる。テンキーから入力が行えるために、利用者がキー配置を理解している必要性はない。また、テンキーをハードキータイプとすると、入力時にストロークを保有しているため、入力が容易となるばかりでなく確実な入力が可能となる。
【００１１】
また、所定キーが装置本体の表示入力画面に表示された操作キーとすることができる。この構成によると、小型な装置であっても、ハードキータイプのテンキーなどのような無駄なキーを設けることなく、タッチパネルなどの表示入力画面に操作ボタンを備えることで、設定入力が可能となりコストの削減および装置の小型化が可能となる。
【００１２】
また、所定キーは、連続して入力可能とすることができる。この構成によると、装置の設定を連続的に入力可能とするので、機能設定やモードなどの入力が容易となり利用者への操作性を向上させることができる。
【００１３】
また、前記所定キーを連続して入力するとき、特定の機能に関する入力をスキップさせるための機能を既設のキーに割り当てることができる。
【００１４】
上記構成によると、特定の機能に関する入力をスキップすることができるので、変更しない機能では入力をスキップすることで、操作性を向上させることができる。
【００１５】
さらに、既設の所定キーが複数個設けられ、そのうちの少なくとも一つの所定キーは、操作指示部の各機能のうち標準的な機能を複数個まとめて設定可能に割り当てることができる。
【００１６】
上記構成によると、標準的な機能を複数個まとめて設定することにより、機能設定やモードなどの入力が容易となり、利用者の操作性を向上させることができる。
【発明の効果】
【００１７】
以上のとおり、本発明によると、既設の所定キーを利用して各種機能を階層的に割り当てているので、キー配置数を抑えて、装置の小型化や利用者の操作性を向上させることができる。
【発明を実施するための最良の形態】
【００１８】
図１は複合型の画像処理装置の操作パネルを示す正面図である。複合型の画像処理装置は、複写（コピー）機能、プリンタ機能、ＦＡＸやイメージを送信するネットワーク機能を備えている。この他に原稿を読み取るスキャナ機能を備えている。
【００１９】
操作パネル１には、タッチパネル２を備えた液晶表示部３と、スタートキー４、テンキー５、及び各種モードを切り換えるためのモードキー６などのハードキーが備えられている。
【００２０】
図２は画像処理装置のハード構成を示すブロック図である。画像処理装置は、その動作プログラムを記憶するためのＲＯＭ１０と、データを一時的に記憶するためのＲＡＭ１１と、ＦＡＸやＭａｉｌなどの送信先情報を記憶するための不揮発性メモリから構成される記憶部１２と、上記ハードキー４〜６から構成される操作部１３と、前記タッチパネル２を備えた表示部１４と、タッチパネル２や操作部１３から入力されたキー入力を判定するための入力キー判定部１５と、各種機能を実行するよう制御する制御部１６とを備えている。
【００２１】
テンキーには、装置本体の機能選択や動作指示を行なう操作指示部の各機能が階層的に割り当てられている。これらの各機能を階層的に割り当てる既設の所定キーとして、テンキーを例示したが、これに限らず、他のキー、例えば、ハードキー上に備えられた「＃」キーや「＊」キーであってもよい。また、ハードキーがない場合には、既設の所定キーは、タッチパネル上に表示された操作キーであってもよい。これらの所定キーからのキー入力が入力キー判定部１５で判定され、どのキーが操作されたかを検出して、制御部１６に出力される。制御部１６では、入力されたキーによって各種機能を判別し、各種機能が設定される。
【００２２】
図３はコピーモードとスキャナモードの動作指示を行う場合の動作条件の設定内容を示す図である。図３に示すように、テンキーの１桁目から６桁目の数値を入力することで、選択するモード及び選択されたモードの動作条件を設定することができる。
【００２３】
具体的な動作例を図５のフローチャートに基づいて説明する。ステップＳ１では１桁目の入力でモード入力が設定される。例えば、テンキー入力が「１」あるいは「２」の１桁目のキー入力で、コピーモード若しくはスキャナモードが入力され、制御部１６によってモードが選択される。
【００２４】
ステップＳ２では、テンキーの２桁目の入力でカラー入力モードか白黒入力モードが設定される。例えば、テンキー入力が「１」の場合、カラー入力モードが入力され、読み取り時又は送信・印刷時のカラーモードが設定される。
【００２５】
ステップＳ３の３桁目のキー入力により、原稿の読み取り又は印刷時の片面・両面モードが設定される。例えば、数字「１」の入力で片面モード、「２」の入力で両面モードに設定される。
【００２６】
ステップＳ４ではステップＳ１のモード入力時にコピーモード若しくはスキャナモードの何れかが選択されたかの判別を行う。ステップＳ５ではテンキーの４桁目の入力により、画像データの送信方法が入力される。例えば、数字「１」のときはＦＡＸ送信モード、「２」のときはＭａｉｌ送信モード、「３」のときはＦＴＰ送信モードに設定される。
【００２７】
ステップＳ６ではステップＳ５で入力された送信方法を判別し、ＦＡＸ送信又は他の送信方法であるかの判別が行われる。ＦＡＸ送信であると判別された場合（Ｓ６：ＹＥＳ）にはＦＡＸ送信時に受信側装置の受信性能を判別し、画像データをＭＲやＭＭＲの所定の形式に圧縮することで画像データが送信される。
【００２８】
ステップＳ７はステップＳ６でＦＡＸ以外の送信方法と判別された場合（Ｓ６：ＮＯ）であり、Ｅ−ＭＡＩＬやＦＴＰ送信が選択された場合である。この場合、画像データの送信時の読み取られた画像データをファイルに変換する場合のファイル形式、例えば、ＰＤＦ、ＴＩＦＦ、ＪＰＧなどが５桁目のテンキー入力で選択可能である。
【００２９】
ステップＳ８では、送信先が６桁目の数値により入力される。ステップＳ６で識別された送信方法に応じて図６（ａ）（ｂ）（ｃ）に示されるテーブルに基づいて送信先のＦＡＸ番号、ＭａｉｌやＦＴＰの送信アドレスが参照され、送信の設定が行われる。
【００３０】
上記のように複数の数値を連続的に入力することで選択されたモードや動作条件が入力された後に、ステップ９でスタートキーが押下げられると、原稿自動搬送装置に載置された原稿の読み取りが開始され（Ｓ１０）、選択されたモードや動作条件に従って送信の処理が実行される（Ｓ１１）。
【００３１】
また、ステップＳ４でコピーモードが選択された場合、ステップＳ１２ではテンキーの４桁目の入力により、給紙カセットが選択設定がなされる。例えば、数字「１」のときはカセット１、「２」のときはカセット２、「３」のときはカセット４に設定される。
【００３２】
ステップＳ１３では５桁目の数値入力により、変倍モードが自動か手動かを設定することができる。数字「１」のときは自動、数字「２」のときは手動に設定される。ステップ１４では、ステップ１３で設定されたモードが手動か否かが判別される。手動のときは、６桁目の数値入力によって倍率を設定する。
【００３３】
図４は変倍で手動が選択されたときの表示画面を示す図である。そして、手動の場合は倍率設定後に、自動のときはそのまま、スタートキーの入力により、原稿自動搬送装置に載置された原稿の読み取りが開始され（Ｓ１０）、選択されたモードや動作条件に従って送信の処理が実行される（Ｓ１１）。
【００３４】
なお、テンキーを連続して入力するとき、特定の機能に関する入力をスキップさせるための機能を既設のキー、例えばテンキーの数字「０」に割り当てることができる。また、既設の所定キーが複数個設けられ、そのうちの少なくとも一つの所定キーは、操作指示部の各機能のうち標準的な機能を複数個まとめて設定可能に割り当てることができる。例えば、テンキーに各種機能を階層的に割り当てる。また、「＃」キーに標準的な機能を複数個まとめて割り当てることができる。そして、テンキーの入力に連続して「＃」キーの入力があった場合、「＃」に割り当てられた機能は標準設定とされる。また、図１に示すクリアキー２０に削除機能を持たせ、テンキー入力が誤入力のとき、その数値を削除できるように設定することもできる。
【図面の簡単な説明】
【００３５】
【図１】本発明の実施形態である複合型の画像処理装置の操作パネルを示す正面図
【図２】画像処理装置のハード構成を示すブロック図
【図３】コピーモードとスキャナモードの動作指示を行う場合の動作条件設定内容を示す図
【図４】変倍で手動が選択されたときの表示画面を示す図
【図５】本発明の設定動作フローチャート
【図６】（ａ）は送信先ＦＡＸ番号を記憶したテーブル、（ｂ）はＭａｉｌ送信アドレスを記憶したテーブル、（ｃ）はＦＴＰ送信アドレスを記憶したテーブルを夫々示す図
【符号の説明】
【００３６】
１    操作パネル
２    タッチパネル
３    液晶表示部
４    スタートキー
５    テンキー
６    モードキー
１０    ＲＯＭ
１１    ＲＡＭ
１２    記憶部
１３    操作部
１４    表示部
１５    入力キー判定部
１６    制御部
【図１】
2008236343.tif 000003
【図２】
2008236343.tif 000004
【図３】
2008236343.tif 000005
【図４】
2008236343.tif 000006
【図５】
2008236343.tif 000007
【図６】
2008236343.tif 000008